(57)【要約】【課題】密閉性を確保しつつ、配線が切断するようなことをなくすることができる照明装置を提供する。【解決手段】照明装置Ａは、筒状体内に発光部を収容する器具本体１と、器具本体１の一端部に外嵌状態で着脱自在に装着される有蓋筒状の一端部部品２とが電気ケーブルで接続されており、器具本体１は一端部部品２により外嵌される領域に凸部８３ａを有し、一端部部品２は、凸部８３ａが蓋壁２１ａと反対側の開口端２１ｑから進入可能であって凸部８３ａにおける器具本体１の他端側に位置する部位に係合する溝２０を筒壁２１ｂに有する。【選択図】図１２
2019087467.tif 000002
【特許請求の範囲】
【請求項１】
筒状体内に発光部を収容する器具本体と、前記器具本体の一端部に外嵌状態で着脱自在に装着される有蓋筒状の一端部部品とが電気ケーブルで接続されている照明装置において、
前記器具本体は前記一端部部品により外嵌される領域に凸部を有し、
前記一端部部品は、前記凸部が蓋壁と反対側の開口端から進入可能であって前記凸部における前記器具本体の他端側に位置する部位に係合する溝を筒壁に有する
照明装置。
【請求項２】
前記溝は、前記筒壁の周方向又は当該周方向と交差する方向に延伸する溝部を周方向の３／４周以内の領域に有する
請求項１に記載の照明装置。
【請求項３】
前記溝は、前記開口端から前記筒状体の筒軸方向を前記一端部部品の蓋部に向かって延伸する軸方向溝部と、前記軸方向溝部における前記蓋部側の端部から周方向に向かって延伸する周方向溝部とを有し、
前記溝部は前記周方向溝部である
請求項２に記載の照明装置。
【請求項４】
前記周方向溝部は、前記軸方向溝部から離れるにしたがって溝幅が狭くなる幅変化領域を有する
請求項３に記載の照明装置。
【請求項５】
前記周方向溝部の前記幅変化領域では、当該溝を形成する面であって前記開口端側に位置する一方面は、前記軸方向溝部から離れるにしたがって前記溝を形成する面であって前記蓋部側に位置する他方面に近づく
請求項４に記載の照明装置。
【請求項６】
前記周方向溝部は、前記幅変化領域に対して前記軸方向溝部と反対側に、溝幅が一定な幅一定領域を有する
請求項５に記載の照明装置。
【請求項７】
前記幅一定領域の前記周方向の寸法は、前記凸部の周方向の寸法よりも大きい
請求項６に記載の照明装置。
【請求項８】
前記一端部部品は、前記幅一定領域に位置する前記凸部における前記軸方向溝部側に位置する部分に当接する当接部を有する
請求項７に記載の照明装置。
【発明の詳細な説明】
【技術分野】
【０００１】
本発明は、筒状体内に発光部を収容する器具本体と、前記器具本体の一端部に外嵌状態で着脱自在に装着される有蓋筒状の一端部部品とを備える照明装置に関する。
【背景技術】
【０００２】
棒状の照明装置として、例えば特許文献１において、「被検出体と対向した状態で、前記被検出体に対して相対移動するとともに、前記被検出体に対して光を照射する光源を使用し、前記光源から前記被検出体に対して照射された光の反射光を確認することにより、前記被検出体上の傷又は歪み等の不良箇所を検出する不良箇所検出照明において、基板で発生する熱を放熱するヒートシンクと、該ヒートシンクに把持された点灯回路を有する基板と、該基板のおもて面に設けられた平板状のＬＥＤ光源部と、該ヒートシンク及び該基板並びに該ＬＥＤ光源部を収容する透光性材料からなる長尺な半管体とを備えるＬＥＤ光源と、前記ＬＥＤ光源を覆い、前記ＬＥＤ光源からの光を前記半管体の長手方向に沿って直線状に照射するための照準手段と、前記ＬＥＤ光源のＯＮ／ＯＦＦを制御するスイッチボタン及び前記ＬＥＤ光源へ電力を供給するための充電が可能な電源部が設けられ、前記ＬＥＤ光源の一端から延出された筒状のグリップ部とを備える不良箇所検出照明」が提案されている。なお、グリップ部は、筐体と蓋部とを備え、内部に電源部が収容されている。
【先行技術文献】
【特許文献】
【０００３】
【特許文献１】特開２０１７−６８８９７号公報
【発明の概要】
【発明が解決しようとする課題】
【０００４】
近年、充電用端子を備える電気機器が増加している。このような充電用端子を上記文献１のグリップ部の蓋部に設けるのが困難である。
つまり、蓋部は、筐体との間で密閉性を確保する必要があり、筐体に対してねじのように回転させて固定（螺着）するような場合、配線がねじれにより切断する可能性がある。
本発明は、このような事情に鑑みてなされたものであって、密閉性を確保しつつ、配線が切断するようなことをなくすることができる照明装置を提供することを目的とする。
【課題を解決するための手段】
【０００５】
上記課題を解決するために、本発明の一態様に係る照明装置は、筒状体内に発光部を収容する器具本体と、前記器具本体の一端部に外嵌状態で着脱自在に装着される有蓋筒状の一端部部品とが電気ケーブルで接続されている照明装置において、前記器具本体は前記一端部部品により外嵌される領域に凸部を有し、前記一端部部品は、前記凸部が蓋壁と反対側の開口端から進入可能であって前記凸部における前記器具本体の他端側に位置する部位に係合する溝を筒壁に有する。
【発明の効果】
【０００６】
本発明によれば、一端部部品が器具本体に外嵌するため密閉を確保でき、器具本体の凸部が一端部部品の溝に係合するため、回転量を少なくでき、配線が切断するようなことをなくすることができる。
【図面の簡単な説明】
【０００７】
【図１】本実施形態に係る照明装置の斜視図である。
【図２】照明装置の断面斜視図である。
【図３】照明装置の分解斜視図である。
【図４】筒状カバー体の斜視図であり、内部が分かるように一部を切り欠いている。
【図５】電源側筒体の断面斜視図である。
【図６】（ａ）は電源側筒体と筒状カバー体との結合部分を示す断面斜視図であり、（ｂ）は電源側筺体と一端部部品との結合部分を示す断面斜視図である。
【図７】（ａ）は照明装置における電源側筒体の電源部が存在する位置での断面を一端側から見た図であり、（ｂ）は電源側筒体の電源部が存在する側の断面拡大斜視図である。
【図８】他端部部品側の分解斜視図である。
【図９】（ａ）は取付具の分解斜視図であり、（ｂ）及び（ｃ）はリング体の断面斜視図である。
【図１０】一端部部品側の分解斜視図である。
【図１１】（ａ）は一端部部品の（横）断面図であり、（ｂ）は一端部部品の（縦）断面斜視図である。
【図１２】一端部部品側の拡大平面図である。
【図１３】回路部の回路ブロック図である。
【図１４】一端部部品の装着を説明する図である。
【発明を実施するための形態】
【０００８】
＜概要＞
一態様に係る照明装置、筒状体内に発光部を収容する器具本体と、前記器具本体の一端部に外嵌状態で着脱自在に装着される有蓋筒状の一端部部品とが電気ケーブルで接続されている照明装置において、前記器具本体は前記一端部部品により外嵌される領域に凸部を有し、前記一端部部品は、前記凸部が蓋壁と反対側の開口端から進入可能であって前記凸部における前記器具本体の他端側に位置する部位に係合する溝を筒壁に有する。
別態様に係る照明装置において、前記溝は、前記筒壁の周方向又は当該周方向と交差する方向に延伸する溝部を周方向の３／４周以内の領域に有する。これにより、電気ケーブルのねじれを小さくできる。
別態様に係る照明装置において、前記溝は、前記開口端から前記筒状体の筒軸方向を前記一端部部品の蓋部に向かって延伸する軸方向溝部と、前記軸方向溝部における前記蓋部側の端部から周方向に向かって延伸する周方向溝部とを有し、前記溝部は前記周方向溝部である。これにより、一端部部品を器具本体から抜け難くできる。
別態様に係る照明装置において、前記周方向溝部は、前記軸方向溝部から離れるにしたがって溝幅が狭くなる幅変化領域を有する。これにより、凸部の溝内の進行をスムーズにできる。
別態様に係る照明装置において、前記周方向溝部の前記幅変化領域では、当該溝を形成する面であって前記開口端側に位置する一方面は、前記軸方向溝部から離れるにしたがって前記溝を形成する面であって前記蓋部側に位置する他方面に近づく。これにより、容易に実施できる。
別態様に係る照明装置において、前記周方向溝部は、前記幅変化領域に対して前記軸方向溝部と反対側に、溝幅が一定な幅一定領域を有する。これにより、一端部部品を器具本体から抜け難くできる。
別態様に係る照明装置において、前記幅一定領域の前記周方向の寸法は、前記凸部の周方向の寸法よりも大きい。これにより、幅一定領域内に凸部分を収容できる。
別態様に係る照明装置において、前記一端部部品は、前記幅一定領域に位置する前記凸部における前記軸方向溝部側に位置する部分に当接する当接部を有する。これにより、一端部部品を器具本体から抜け難くできる。
【０００９】
<実施形態＞
１．全体構成
照明装置の一例について図を用いて説明する。
照明装置Ａは、図１に示すように、筒状の器具本体１と、器具本体１の一端部に装着される一端部部品２とを備え、一端部部品には図示しない電気ケーブルが接続されている。照明装置Ａは器具本体１の他端部に装着される他端部部品３を備える。
器具本体１は、図２及び図３に示すように、筒状体４、発光部５、回路部６及び電源部７を備える。発光部５、回路部６及び電源部７は筒状体４内に収容される。
筒状体４は、図３に示すように、電源部７を収容する電源側筒体８と、発光部５と回路部６とを収容する筒状カバー体９とから構成されている。
器具本体１は、図１の（ａ）に示すように、筒軸方向の両端部にフック体１４を備える。器具本体１は、筒軸方向の両端部に架設部１１ｄを備える。ここでのフック体１４及び架設部１１ｄは、一端部部品２や他端部部品３に取り付けられる取付具１０に設けられている。
筒状体４には、図１に示すように、点灯、減光、消灯を切り替えるための操作スイッチ４１が設けられている。また、筒状体４には、金属材料等に照明装置Ａを取り付けるための磁石４２が設けられている。
以下、各部について説明する。
【００１０】
２．各部構成
（１）発光部
発光部５は、図２に示すように、基板５１と１個又は複数個のＬＥＤ素子５２を備える。基板５１は矩形状をし、複数個のＬＥＤ素子５２が基板５１の長手方向に間隔をおいて配されている。基板５１は、ＬＥＤ素子５２の実装部分を除いた部分（表面）に反射層を有してもよい。なお、照明装置Ａにおいて、ＬＥＤ素子５２が実装している側、つまり、光が出射される側を表側とする。
【００１１】
（２）回路部
回路部６は、図２に示すように、基板と、複数個の電子部品６１を備える。ここでの基板はＬＥＤ素子５２を表面に実装する基板５１である。複数個の電子部品６１は、基板５１の裏面に実装されている。複数個の電子部品６１は、使用者の操作スイッチ４１の操作により、発光部５の点灯・消灯・調光（減光）等を行うように回路構成されている。基板５１は、電子部品６１の実装部分を除いた部分に反射層を有してもよい。
回路部６は、図示しない配線により、操作スイッチ４１及び電源部７に接続されている。回路部６は、図示しないコンタクトホールにより発光部５と接続されている。なお、図２では、複数個の電子部品６１を、２つのブロックで示し、配線等の図示は省略している。
【００１２】
（３）電源部
電源部７は、図２に示すように、充放電型の二次電池、所謂、充電池７１と、充電池７１を収容するケース７２とを備える。充電池７１は、図示しない電気ケーブルにより、一端部部品２の充電用の入力端子２２ａ（図１０参照）と、回路部６とに接続されている。
ケース７２は筒状をし、図７に示すように、ケース７２の内面に充電池７１が接する状態で充電池７１が挿入されている。ここでは、充電池７１は円柱状をし、ケース７２における対向面の間隔が最大となる部位（上端及び下端）で充電池７１が接する。これにより、充電池７１が筒軸と直交する方向に位置決めされる。
【００１３】
ケース７２の横断面形状は、図７の（ａ）に示すように、円形状から上端部の弓形状を取り除いた欠円環状をしている。つまり、ケース７２は、上端部の平坦部７３と、平坦部７３の両端から下方に半円よりも大きな円弧状に張り出す円弧部７４とを有し、平坦部７３と円弧部７４との間が段差７５となっている。この段差７５は内側に凹み段差である。段差７５には、図７に示す電源側筒体８の裏側リブ８５ａが当接する。つまり、ケース７２は、電源側筒体８の横方向に延伸する一対の第１リブ８５間に平坦部７３は嵌ることで、電源側筒体８に支持されている。
ケース７２及び充電池７１は、図７の（ｂ）に示すように、その長手方向の他端部が電源側筒体８の第２リブ８６と、一端部が一端部部品２の内円筒部分２１ｍとそれぞれ当接している。これにより、電源部７は筒状体４の筒軸方向に位置決めされる。
【００１４】
（４）電源側筒体
電源側筒体８は、図５に示すように、筒軸方向の一端側に位置する筒部８１と、筒軸方向の他端側に位置する半筒部８２とを有する。
電源側筒体８は一端部部品２（図２参照）を装着するための一端側装着部８３を筒部８１の筒軸方向の一端部に有する。電源側筒体８は操作スイッチ４１（図２参照）を装着するためのスイッチ装着部８４を筒部８１の筒軸方向の他端部に有する。電源側筒体８は、筒軸に沿って延伸する第１リブ８５と第２リブ８６とを筒部８１の内周面に有する。
電源側筒体８は磁石４２（図２参照）を収容するための磁石装着部８７を半筒部８２の筒軸方向の一端部に有する。電源側筒体８は筒状カバー体９を固定するためのカバー固定部８８を筒部８１と半筒部８２との接続部分に有する。
なお、筒部８１の全長と半筒部８２の全長は仕様により変化し、ここでは、筒部８１と半筒部８２の全長は略同じであり、スイッチ装着部８４、磁石装着部８７及びカバー固定部８８は電源側筒体８の筒部８１と半筒部８２との接続部分に設けて、使用者が操作しやすい構造としている。
【００１５】
（４−１）筒部
筒部８１は、図７の（ａ）に示すように、横断面形状が略円環状をしている。筒部８１は、図５に示すように、一端側装着部８３とスイッチ装着部８４との間の外周から外方に突出する複数本の凸条部分８１ａを有している。凸条部分８１ａは、図３に示すように、周方向に延伸し、筒部８１の表裏部分に筒軸方向に間隔をおいて設けられている。図５に示すように、複数個の凸条部分８１ａが形成されている部分は、凸条部分８１ａが形成されている部分８１ｂ（図３参照）よりも凹んでいる。複数個の凸条部分８１ａが形成されている領域は、図５に示すように、使用者が把持する把持領域８１ｃである。
【００１６】
筒部８１は、図５に示すように、一端側装着部８３と把持領域８１ｃとの間に外周に張り出す張出部分を有している。張出部分は、一端側装着部８３側から、第１張出部分８１ｄと、第１張出部分８１ｄよりも外方に張り出す第２張出部分８１ｅとにより構成されている。
第１張出部分８１ｄの張り出し量は、図６の（ｂ）に示すように、一端部部品２の円筒壁２１ｂの厚みより大きく、第１張出部分８１ｄの表面は一端部部品２の円筒壁２１ｂの表面よりも外周側に位置する。これにより、一端部部品２が筒軸方向の他端側に位置決めされる。
第１張出部分８１ｄの端面及び表面には、取付具１０の筒部１１ａの段差部分１１ｅが嵌合し、第２張出部分８１ｅの端面には、取付具１０の筒部１１ａの端面が当接（対向）する。これにより、取付具１０が筒状体４の筒軸方向の他端側に位置決めがなされる。
【００１７】
（４−２）半筒部
半筒部８２は、図３に示すように、筒部８１の筒軸方向の他端部から筒軸方向の他端側へと半円筒状に延伸する。なお、半筒部８２と半筒部８２の筒軸は同一直線である。
半筒部８２には、図２に示すように、筒状カバー体９が配され、筒状カバー体９において半筒部８２が存在しない領域から光が出射される。
【００１８】
（４−３）一端側装着部
一端側装着部８３は、図５に示すように円筒状をし、筒軸方向の一端部に１個又は複数個の凸部分８３ａを有している。ここでの凸部分８３ａは２個あり、２個の凸部分８３ａは筒軸を挟んで対向する部位に設けられている。なお、凸部分８３ａは、本発明の凸部の一例に相当し、凸部分８３ａが設けられている一端部には一端部部品２が外嵌する。
凸部分８３ａの突出量は、図６の（ｂ）に示すように、一端部部品２の円筒壁２１ｂの厚みと略同じである。換言すると、凸部分８３ａは円筒壁２１ｂから張り出さないように構成されている。これにより、取付具１０の一端部部品２に対する回転がスムーズとなる。
凸部分８３ａを突出方向から形状は、図１２に示すように筒軸方向を短辺とする矩形状をしている。凸部分８３ａは、図５に示すように、電源側筒体８の一端から他端側に離間して設けられている。これにより、一端側装着部８３における凸部分８３ａよりも一端側に位置する部分と、一端部部品２の円筒壁２１ｂ又は外鍔部２１ｐの内周面とが当接（対向）することになり、密閉性を向上させることができる。
【００１９】
（４−４）スイッチ装着部
操作スイッチ４１として、ここでは、押しボタンスイッチを利用している。より具体的には、三段押しボタンスイッチである。スイッチ装着部８４は、図５に示すように、筒部８１における表側部分に設けられている。これにより使用者が照明装置Ａを保持したままで、操作することが可能となり、操作性を向上できる。
スイッチ装着部８４は、厚肉部分８４ａと、厚肉部分８４ａに設けられた段付き孔８４ｂとを有している。段付き孔８４ｂの段差は表側の開口の方が大きい。段付き孔８４ｂに操作スイッチ４１が配されている。
スイッチ装着部８４は、段付き孔８４ｂの周辺部分に凸部分を有している。ここでの凸部分は、段付き孔８４ｂに対して筒軸方向の一端側に存在する一端側凸部分８４ｃと、他端側に存在する他端側凸部分８４ｄとである。一端側凸部分８４ｃ及び他端側凸部分８４ｄの高さは、図２に示すように、操作スイッチ４１の高さと略同じである。これにより、間違って操作スイッチ４１に触れてしまう誤操作を防止する機能や操作スイッチ４１を保護する機能を有する。
【００２０】
（４−５）第１リブ
第１リブ８５は、図７の（ａ）に示すように、筒軸方向の一端側からみると、筒部８１の内周面であって表裏方向と直交する方向に対向する部位から延伸している。なお、筒軸と直交する平面において表裏方向と直交する方向を横方向とする。
第１リブ８５は、表裏方向の略中央部位から延伸して電源部７のケース７２の段差７５に当接する裏側リブ８５ａを有する。一対の裏側リブ８５ａの間隔は、ケース７２の平坦部７３の横方向の寸法に対応している。
第１リブ８５は、裏側リブ８５ａに対して表側に間隔をおいて平行に延伸する表側リブ８５ｂを有する。間隔は、図７の（ａ）に示すように、電源側筒体８と筒状カバー体９とを固定するための固定具（ねじ）４４の大きさに対応している。
第１リブ８５は、裏側リブ８５ａと表側リブ８５ｂとを表裏方向に連結する連結部８５ｃを有する。なお、第１リブ８５は、筒軸方向の一端側から見ると、横「Ｈ」字状をしている。これにより、第１リブ８５が補強される。
【００２１】
（４−６）第２リブ
第２リブ８６は、図７の（ａ）及び（ｂ）に示すように、筒軸方向の一端側からみると、筒部８１の裏側端に近い内周面であって筒軸に向かって延伸している。第２リブ８６は図７の（ｂ）に示すように、筒軸方向における電源部７よりも他端側に設けられている。第２リブ８６の一端は、電源部７に当接する。なお、第２リブ８６の筒軸方向の他端は、図６に示すように、カバー固定部８８に連結する。
【００２２】
（４−７）磁石装着部
磁石４２として、ここでは、ネオジウム磁石を利用している。ここでの磁石４２は中央に貫通孔を有する円盤状をしている
磁石装着部８７は、図５に示すように、半筒部８２における一端部側の裏面から裏側に突出する突出部分８７ａと、突出部分８７ａの裏側から凹入する凹入部分８７ｂと、凹入部分８７ｂの底部に設けられたねじ穴８７ｃとを有している。ねじ穴８７ｃには、図２に示すように、磁石４２の貫通孔４２ａ(図３参照）を挿通するねじ４３が螺合する。
【００２３】
（４−８）カバー固定部
カバー固定部８８は、図５に示すように、筒部８１と半筒部８２との境界部分の内周面から筒軸に向かって延伸する板状部分８８ａと、板状部分８８ａの外周縁に筒軸方向の一端側に凹入する溝部分８８ｂと、板状部分８８ａに形成された貫通孔８８ｃ，８８ｄとを有する。
換言すると、図６に示すように、カバー固定部８８は、有底筒状の筒状カバー体９の底壁９１に当接する当接部分（８８ａ）と、筒状カバー体９の底壁９１の外周縁の円鍔部９１ｅが嵌合する溝部分（８８ｂ）と、当接部分（８８ａ）に形成され且つ筒状カバー体９を固定するための貫通孔（８８ｃであり、図６には現れておらず、図５参照）と、当接部分（８８ａ）に形成され且つ筒状カバー体９を位置決めするための貫通孔（８８ｄであり、図６には現れておらず、図５参照）とを有する。
【００２４】
板状部分８８ａは、図５に示すように、中央に貫通孔８８ｅを有する円盤状をしている。貫通孔８８ｅは、電源部７と回路部６とを接続する電気ケーブル（図示省略）や、操作スイッチ４１と回路部６とを接続する電気ケーブルの挿通用である。
溝部分８８ｂは、板状部分８８ａの円周縁から筒軸方向の一端側に凹む段差により構成されている。
貫通孔８８ｃは、図６に示すねじ４４用であり、図５に示すように、筒軸を通る表裏方向の裏端側に位置する部位と、一対の第１リブ８５に対して横方向の内側に位置する部位との合計３か所に設けられている。なお、３つの部位は、筒軸方向から見たときに、２等辺三角形の各頂点に位置する。
貫通孔８８ｄは、図６に示す筒状カバー体９のピン部９１ｄ用であり、図５に示すように一対の第２リブ８６に対して横方向の外側に位置する部位に２ヶ所設けられている。
【００２５】
（５）筒状カバー体
筒状カバー体９は、図４に示すように、有底円筒状をしている。筒状カバー体９は底壁９１と円筒壁９２とを有する。筒状カバー体９は、所謂、乳白色カバーである。組み立てた状態で、電源側筒体８の半筒部８２と対向しない部分は、図１に示すように、発光部５からの光が出射する光出射領域９ａとなる。換言すると、照明装置Ａは、外部に露出する筒状カバー体９から光が出射される、所謂、片面（表面）照射タイプである。これにより、裏面がまぶしくなくなり、使用者にとって使用しやすくなる。また、筒状カバー体９における光出射領域９ａ以外から光が出射しないようにする必要がなくなり、簡単な構造で片面照射できる。
【００２６】
底壁９１は、中央部に貫通孔９１ａと、内側へ突出する３個のボス部９１ｂと、ボス部９１ｂに対応して形成されたねじ孔９１ｃと、筒軸方向であって外方へ延伸するピン部９１ｄと、外周縁から筒軸方向の外方へと張り出す円鍔部９１ｅとを有する。
貫通孔９１ａは、電源部７と回路部６とを接続する電気ケーブル（図示省略）や、操作スイッチ４１と回路部６とを接続する電気ケーブルの挿通用である。
筒状カバー体９を電源側筒体８に組み込んだ際に、図２に示すように、筒状カバー体９であって発光部５の裏側が半筒部８２により支持されている。これにより、筒状カバー体９と電源側筒体８との結合を強固にできる。
筒状カバー体９を電源側筒体８に組み込んだ際に、図６に示すように、円鍔部９１ｅがカバー固定部８８の溝部分８８ｂに挿入し、ボス部９１ｂ及びねじ孔９１ｃは電源側筒体８のカバー固定部８８の貫通孔８８ｃ（図５参照）に対向し、ピン部９１ｄはカバー固定部８８の貫通孔８８ｄに嵌合する。なお、ねじ孔９１ｃには、図６に示すように、カバー固定部８８の貫通孔８８ｃ（図５参照）を挿通するねじ４４が螺合する。
【００２７】
円筒壁９２は、図４に示すように、筒軸方向の他端部９２ａを残してその一端側にねじ部９２ｂを有する。ねじ部９２ｂは外周面に形成されている。ねじ部９２ｂには、図３に示す他端部部品３が螺合する。
円筒壁９２は、ねじ部９２ｂの他端側に外方に突出する外鍔部９２ｃを有する。外鍔部９２ｃには、図２に示すように、取付具１０の段差部分１１ｅが嵌合する。円筒壁９２は、図４に示すように、外鍔部９２ｃの裏部分（光出射領域９ａの裏側である）に円筒壁９２に沿って一端側に凹入する溝９２ｅを有している。溝９２ｅには、図２に示すように、電源側筒体８の半筒部８２の他端部８２ａが挿入する。溝９２ｅは、筒軸方向の一端側から見ると、半円状をしている。これにより、半筒部８２の他端部８２ａを支持して固定できる。
【００２８】
円筒壁９２は、図４に示すように、基板５１を支持する支持部を内周面に有している。支持部は内周面から横方向に突出する一対の凸条部間に形成された溝９２ｄにより構成されている。溝９２ｄには、図２に示すように、基板５１の横方向の端部が挿入される。これにより基板５１を安定した状態で支持できる。
なお、溝９２ｄは基板５１における長手方向の両端間に亘って連続して設けられている。これにより、基板５１と溝９２ｄとの間から裏側に光が漏れるのを防止できる。また、発光部５の発光時の熱が基板５１から溝９２ｄを介して筒状カバー体９に広い範囲に伝わる。
【００２９】
（６）他端部部品
他端部部品３は、図８の（ｂ）に示すように、有蓋筒状をしている。ここでは円筒状をしている。他端部部品３は、蓋壁３１と筒壁３２とを有する。
蓋壁３１は中央部が外方に突出するような形状をしている。蓋壁３１は、円環状の蓋部３１ａと、蓋部３１ａの内周縁から有底筒状に突出する突出部３１ｂとを有する。突出部３１ｂは蓋部分３１ｃと円筒部分３１ｄとを有する。
蓋壁３１は、図８の（ａ）に示すように、筒軸方向の一端側に向かって円筒状に延伸する外筒部分３１ｅを蓋部３１ａの内面に有する。外筒部分３１ｅと筒壁３２との間には、図８に示すリング状のパッキン３４が配される。
蓋壁３１は、図８の（ａ）に示すように、筒軸方向の一端側に向かって延伸する延伸部分３１ｆを蓋部分３１ｃの内面に有する。ここでの延伸部分３１ｆは円筒状をし、延伸端が、図２に示すように、基板５１の他端面に当接する。なお、他端部部品３が筒状カバー体９の他端部に装着されると、基板５１の一端面は筒状カバー体９の底壁９１に当接する。これにより、基板５１は器具本体１内において位置決めされる。
【００３０】
筒壁３２は、筒状カバー体９の一端側のねじ部９２ｂ（図２参照）に螺合するねじ部３２ａを内周面に有する。筒壁３２は他端部に外方へ張り出す外鍔部３２ｂを有する。外鍔部３２ｂは、図２に示すように、ねじ部９２ｂに螺合する他端部部品３の筒壁３２よりも高く張り出している。これにより、他端部部品３は筒方向の一端側に置決めされる。
外鍔部３２ｂの他端側の端面及び表面に、図２に示すように、取付具１０の段差部分１１ｅが嵌合する。これにより、取付具１０が筒軸方向に位置決めされる。
【００３１】
（７）一端部部品
一端部部品２は、図１０に示すように、有蓋筒状の本体２１と、本体２１に取り付けられた入力端子部２２とを備える。ここでは、一端部部品２は入力端子部２２の入力端子２２ａを覆うキャップ２３を備える。なお、一端部部品２は、他端部部品３と同様に取付具１０が取り付けられるが、取付具１０の構成は同じであるため、ここでの説明は省略する。なお、ここでの入力端子は充電用の端子として説明する。
【００３２】
（７−１）本体
本体２１は、図１０及び図１１に示すように、蓋壁２１ａと円筒壁２１ｂとを有する。本体２１は入力端子２２ａ用の貫通孔２１ｃを蓋壁２１ａに有する。本体２１は、図１０に示すキャップ２３を装着するための装着部２１ｄを蓋壁２１ａの外面に有する。装着部２１ｄは蓋壁２１ａの中央部から一端側に立設する。
蓋壁２１ａは、図１１の（ｂ）に示すように厚肉部２１ｅを中央部に有する。なお、蓋壁２１ａの内面は略平坦状をしている。蓋壁２１ａは、入力端子部２２を固定するための固定部を厚肉部２１ｅに有している。図１０に示すように固定にはねじ２４が利用され、図１１に示すように、入力端子部２２の基板２２ｂの貫通孔２２ｃを挿通するねじ２４が螺合するねじ穴２１ｆにより固定部が構成される。
【００３３】
本体２１は、図１０に示すように、蓋壁２１ａの厚肉部２１ｅの周縁から一端側に延伸する円筒部２１ｇを有している。円筒部２１ｇの外周面にはねじ２１ｈが設けられている。ねじ２１ｈには、図６の（ｂ）に示すようにキャップ２３の内周面のねじ部２３ｃが螺合する。つまり、キャップ２３の装着部２１ｄは円筒部２１ｇとねじ２１ｈとで構成されている。
本体２１は、図１１の（ｂ）に示すように、厚肉部２１ｅの外周の全周から外方へ延伸する延伸板部２１ｊを有し、延伸板部２１ｊと蓋壁２１ａとの間の溝に、図１０に示すキャップ２３の落下防止具２６の大リング部分２６ａが嵌る。なお、落下防止具２６はゴム材料等により構成されている。
【００３４】
本体２１は、図１１に示すように、筒軸方向の他端側に向かって延伸する外円筒部分２１ｌを蓋壁２１ａの内面に有する。外円筒部分２１ｌと円筒壁２１ｂとの間には、図１０に示すリング状のパッキン２５が配される。
本体２１は、図１１に示すように、筒軸方向の他端側に向かって延伸する内円筒部分２１ｍを蓋壁２１ａの内面に有する。内円筒部分２１ｍ内には、入力端子部２２が配される。内円筒部分２１ｍの内周面には、中心軸に向かって延伸する凸部分２１ｎを有する。凸部分２１ｎは、図１０に示す入力端子部２２の基板２２ｂの欠け部２２ｄに嵌合する。これにより、基板２２ｂの回転が規制され、入力端子２２ａに作用するねじれ負荷を小さくできる。
【００３５】
本体２１は、図１０及び図６の（ｂ）に示すように、円筒壁２１ｂの一端部に外方へ張り出す外鍔部２１ｐを有する。外鍔部２１ｐの表面は取付具１０のリング体１１の表面よりも高く構成されている。外方に厚みよりも小さい。これにより取付具１０が筒軸方向の一端側に位置決めされる。
【００３６】
本体２１は、図１２に示すように、器具本体１（電源側筒体８）の凸部分８３ａが係合する溝２０を円筒壁２１ｂに有する。なお、ここでの溝２０は貫通溝である。
溝２０は、凸部分８３ａが蓋壁２１ａと反対側の開口端２１ｑから進入可能であって凸部分８３ａにおける器具本体１の他端側に位置する部位８３ｂに係合（当接）する。溝２０は、筒軸に対して交差する方向に延伸する溝部（２０ｂ）を円筒壁２１ｂにおける周方向の３／４周以内の領域に有している。
溝２０は、開口端２１ｑから筒軸方向を蓋壁２１ａに向かって延伸する軸方向溝部２０ａと、軸方向溝部２０ａにおける蓋壁２１ａ側の端部から周方向に向かって延伸する周方向溝部２０ｂとを有する。
【００３７】
一端部部品２が器具本体１の一端部に装着する状態を表裏方向から見る（図１２である）と、軸方向溝部２０ａにおける筒軸と直交する方向の幅(溝幅である）は、凸部分８３ａにおける筒軸と直交する方向の幅よりも大きくなっている。なお、軸方向溝部２０ａの溝幅は一定である。
【００３８】
周方向溝部２０ｂは、軸方向溝部２０ａから離れるにしたがって、筒軸方向の寸法である溝幅が狭くなる幅変化領域２０ｃと、溝幅が一定な幅一定領域２０ｄとを有する。幅一定領域２０ｄは幅変化領域２０ｃに対して軸方向溝部２０ａと反対側に位置する。
周方向溝部２０ｂの幅変化領域２０ｃでは、当該溝を形成する面であって開口端２１ｑ側に位置する一方面２０ｅは、軸方向溝部２０ａから離れるにしたがって溝を形成する面であって蓋壁２１ａ側に位置する他方面２０ｆに近づく。
周方向溝部２０ｂの幅一定領域２０ｄでは、一方面２０ｅと他方面２０ｆとが平行である。つまり、周方向溝部２０ｂの溝を形成している他方面２０ｆは、表裏方向から見ると、筒軸と直交する。
【００３９】
幅一定領域２０ｄにおける周方向の寸法は凸部分８３ａにおける周方向の寸法よりも大きい。つまり、幅一定領域２０ｄは一端部部品２の装着後における凸部分８３ａの収容部となる。
一端部部品２は、幅一定領域２０ｄに収容された凸部分８３ａにおける軸方向溝部２０ａ側に位置する部分８３ｃに当接する当接部２０ｇを有する。
ここでの当接部２０ｇは一方面２０ｅに設けられている。当接部２０ｇは、幅変化領域２０ｃと幅一定領域２０ｄとの境界に設けられている。当接部２０ｇは一方面２０ｅから他方面２０ｆに向かって突出する凸部分により構成されている。
一端部部品２を器具本体１に装着する際に内部のパッキン２５を圧縮して行われ、その復元力で一方面２０ｅが凸部分８３ａ側を押圧する。したがって、当接部２０ｇにより、一端部部品２と器具本体１が、パッキン２５の弾性を用いて確実に固定されることとなる。
【００４０】
（７−２）キャップ
キャップ２３は有蓋円筒状をし、図６の（ｂ）に示すように、円筒壁２３ａ内にねじ部２３ｃを有する。ねじ部２３ｃは一端部部品２の円筒部２１ｇの外周のねじ２１ｈに螺合する。
キャップ２３の蓋壁２３ｂは、落下防止具２６の小リング部分２６ｂが嵌る溝を形成する溝形成部２３ｄを有する。
キャップ２３は、図６の（ｂ）に示すように、筒軸方向の他端側に向かって延伸する円筒部分２３ｅを蓋壁２３ｂの内面に有する。円筒部分２３ｅと円筒壁２３ａとの間には、図１０に示すリング状のパッキン２７が配される。
【００４１】
（７−３）入力端子部
入力端子部２２は、図１０に示すように、入力端子２２ａが基板２２ｂに設けられてなる。入力端子２２ａは基板２２ｂに立設し、一端部部品２の蓋壁２１ａの貫通孔２１ｃから先端部が導出する。なお、基板２２ｂには、図示しないが、回路部６と接続する電気ケーブルが接続されている。
入力端子２２ａは、Ｍｉｃｒｏ−ＵＳＢ端子等を利用でき、充電器として例えば、スマホ等の充電に用いられる汎用のＵＳＢ充電器に接続可能である。汎用のＵＳＢ充電器と接続可能なので、照明装置Ａの付属品として充電器を付属品として販売する必要が無くなり、コストダウンできる。
【００４２】
（８）取付具
取付具１０は、図１に示すように、一端部部品２及び他端部部品３に回転自在に取り付けられている。以下、取付具１０の構成は、一端部部品２又は他端部部品３に関係なく、同じ構成であるため、他端部部品３に装着する場合を例にして説明する。
取付具１０は、図９の（ａ）に示すように、他端部部品３の筒壁３２に回転自在に外嵌するリング体１１と、リング体１１の中心軸と直交する方向を回転軸として回転自在にリング体１１に設けられた回転体１２と、回転体１２の回転軸と直交するピン１３に軸支されたフック体１４とを備える。これにより、フック体１４は３軸方向に回転可能となり、フック体１４の姿勢(向き）を自由自在に変更できる。
なお、リング体１１は、取付対象が一端部部品２の場合、円筒壁２１ｂに回転自在に外嵌する。
取付具１０は、一端部部品２と他端部部品３とで回転自在に設定されているので、一対のリング体１１を用いて筒状カバー体９を水平に保持することができる。また、筒状カバー体９を上側、下側にも自由自在に固定でき、照明装置Ａの利用範囲が広がる。
【００４３】
リング体１１は、図９に示すように、筒部１１ａと、筒部１１ａから径方向に突出する突出部１１ｂと、筒部１１ａと突出部１１ｂとを貫通する内側拡がりの段付き孔１１ｃと、筒部１１ａにおける突出部１１ｂと対向する部位から筒部１１ａとの間で貫通部ができるように延伸する架設部１１ｄとを有する。
段付き孔１１ｃは横断面が円形状に開口する。架設部１１ｄは、ストラップ用であり、ここでは、「コ」字状に架設する。
【００４４】
リング体１１は、図９の（ｂ）に示すように、筒軸方向の内方側の端部内周に段差部分１１ｅを有している。図２に示すように、リング体１１の段差部分１１ｅは、筒状カバー体９の外鍔部９２ｃの他端側の端面と表面とに嵌合する。これにより、取付具１０が筒状体４の筒軸方向の一端側に位置される。
リング体１１の取付対象が一端部部品２の場合、図６の（ｂ）に示すように、リング体１１の段差部分１１ｅは、電源側筒体８の第１張出部分８１ｄの一端側の端面と表面とに嵌合する。これにより、取付具１０が筒状体４の筒軸方向の他端側に位置される。
【００４５】
回転体１２は、段付き円盤部１２ａと、段付き円盤部１２ａから板状に突出し且つ貫通孔１２ｂを有する一対の板部１２ｃとを有する。段付き円盤部１２ａの段差部分１２ｄがリング体１１の段付き孔１１ｃに内周側から挿入される。一対の板部１２ｃの貫通孔１２ｂにはピン１３が挿通して固定される。ピン１３の全長は段付き孔１１ｃよりも大きく、ピン１３が板部１２ｃに固定されると、リング体１１から回転体１２が抜けることはない。
フック体１４は、ピン１３が挿通する挿通部１４ａと、挿通部１４ａからピン１３と直交方向に直進する第１直進部１４ｂと、第１直進部１４ｂの先端で第１直進部１４ｂとピンとに直交する方向に湾曲して直進する第２直進部１４ｃと、第２直進部１４ｃの先端から３／４長円状に延伸する欠長円部１４ｄとを有する。
【００４６】
フック体１４は、一端部部品２側に倒した際に、図６の（ｂ）に示すように、欠長円部１４ｄがキャップ２３に沿うように配される。フック体１４とキャップ２３とが接触又は近接しているので、双方の摩擦でフック体１４をキャップ２３に保持することもできる。これにより、フック体１４を使用しない時に照明装置Ａの作業性、意匠性を向上させることができる。
フック体１４は、他端部部品３側に倒した際に、欠長円部１４ｄが突出部３１ｂの円筒部分３１ｄ（図８（ｂ）参照）に沿うように配される。フック体１４と突出部３１ｂとが接触又は近接しているので、双方の摩擦でフック体１４を突出部３１ｂに保持することもできる。これにより、フック体１４を使用しない時に照明装置Ａの作業性、意匠性を向上させることができる。
【００４７】
３．回路
回路について図１３を用いて説明する。
（１）ブロック図
回路６２は、マイコン６３、充電回路６４、昇圧回路６５、保護回路６６及び操作スイッチ４１を備える。
マイコン６３は、充電池７１の充電の制御、操作スイッチ４１の操作に従って発光部５の点灯、減光、消灯の制御等の照明装置Ａの電気的制御の全般を行う。なお、マイコン６３は保護回路６６を介して受電している。
充電回路６４は、入力端子２２ａの電圧を検知する入力電圧検知部と、充電池７１の電圧を検知する電池電圧検知部と、充電池７１から入力端子２２ａに電流が流れるのを防止する逆流防止部とを備える。
昇圧回路６５は、電源部７から供給される電圧又は入力端子部２２から入力された電圧を昇圧する。昇圧は、操作スイッチ４１の操作による、１００％照射、５０％照射に対応して行う。
保護回路６６は、充電池７１の状況をモニターするモニター部と、充電池７１の異常を検知すると、充電池７１との導通を遮蔽する遮蔽部とを有する。ここでのモニターは、充電池７１の温度や電流値等である。
切替スイッチ６７は、マイコン６３からの指示により、充電回路６４と昇圧回路６５との接続及び保護回路６６と昇圧回路６５との接続を選択的に行う。これにより、充電しながら、照射と充電を同時に行うこともできる。なお、昇圧回路６５と保護回路６６との導通を切断すると、入力端子２２ａから受電した電力は充電池７１の充電に使われる。
【００４８】
（２）動作
入力端子２２ａが充電器に接続されていない状態であって操作スイッチ４１において点灯操作があると、マイコン６３は切替スイッチ６７に対して保護回路６６と昇圧回路６５とを接続するように指示すると共に、操作スイッチ４１からの点灯信号にあわせた昇圧を行うように昇圧回路６５に指示する。なお、消灯操作があると、マイコン６３は切替スイッチ６７に対して保護回路６６と昇圧回路６５との切断を指示する。また、操作スイッチ４１は、マイコン６３により点灯操作時には長押し動作による操作、他の操作は短時間動作による操作出来るように構成して、誤作動を防止する構造としている。
【００４９】
入力端子２２ａが図外の充電器に接続されている状態であって操作スイッチ４１において操作がないと、マイコン６３は、充電回路６４に充電池７１の充電を指示する。この際、入力電圧検知部が検知した入力電圧が第１閾値よりも低い場合や、入力電圧が電池電圧よりも低い場合、マイコン６３は、充電池７１から入力端子２２ａに電流が流れるのを防止するように充電回路６４に指示する。なお、充電中は、充電回路６４に接続されたＬＥＤ６８を点灯する。ＬＥＤ６８は、例えば、図１０に示すように、基板２２ｂにおける入力端子２２ａの周辺に設けることができる。
【００５０】
入力端子２２ａが図外の充電器に接続されている状態であって操作スイッチ４１において点灯操作があると、マイコン６３は、充電池７１の充電が不要と判断すると充電回路６４から昇圧回路６５に電流を流すように切替スイッチ６７に指示し、充電池７１の充電が必要と判断すると充電回路６４から昇圧回路６５と保護回路６６とに電流を流すように切替スイッチ６７に指示する。なお、マイコン６３は、充電池７１の充電の必要・不要について、充電回路６４で検出する入力電圧と電池電圧との差で判断する。
【００５１】
４．一端部部品の装着
一端部部品２の器具本体１(電源側筒体８）への装着について図１４を用いて説明する。
なお、図１４では、凸部分８３ａと溝２０との位置関係を示すため、一端部部品２に装着する図１に示す取付具１０を取り外している。
（１）図１４の（ａ）に示すように、電源側筒体８の凸部分８３ａと、一端部部品２の溝２０とを位置合わせし、凸部分８３ａが溝２０の軸方向溝部２０ａに進入するように、一端部部品２を矢印の方に相対的に移動させる。この移動は、図１４の（ｂ）に示すように、凸部分８３ａが軸方向溝部２０ａの奥側（円筒壁２１ｂの一端側）に達するまで行われる。
（２）次に、凸部分８３ａが溝２０の周方向溝部２０ｂ内を進行するように、一端部部品２を矢印の方に相対的に回転させる。この回転は、図１４の（ｃ）の状態を超えて、図１４の（ｄ）に示すように、凸部分８３ａが周方向溝部２０ｂの奥（軸方向溝部２０ａと反対側）に達するまで行われる。これにより、凸部分８３ａが当接部２０ｇによりロックされる。
【００５２】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００５３】
＜変形例＞
【００５４】
（１）溝２０は貫通溝により構成されていたが、凸部分を低くして凹状の溝により構成してもよい。これにより密閉性を向上させることができる。
（２）溝２０の周方向溝部２０ｂは、筒軸と直交する方向に延伸しているが、筒軸に対して交差する方向（９０度を除く）に延伸してもよいし、筒軸に交差する方向に延伸した後に筒軸に直交する方向に延伸してもよいし、直交する方向に延伸した後に筒軸に交差する方向に延伸してもよい。
（３）一端部部品２は筒状体４（電源側筒体８）の一端部に外嵌するように構成されているが、一端部部品が内嵌するように構成されてもよい。また、凸部分８３ａは電源側筒体８側に、溝２０は一端部部品２側にそれぞれ設けられているが、逆であってもよい。
（４）一端部部品２は入力端子２２ａを保護するキャップ２３を備えているが、他の構造の保護部材であってもよいし、保護部材を備えなくてもよい。なお、保護部材を備える方が、欠損、断線、防水、防塵等の面で好ましい。
（５）周方向溝部２０ｂは円筒壁２１ｂの１／５周の長さを有していたが、密閉性、抜け等を考慮すると、周方向溝部の長さは、円筒壁の１／３〜１／７周が好ましい。なお、凸部分が１個の場合、周方向の溝の長さは、３／４周以内であるのが好ましい。これ以上になると、配線ケーブルがねじれにより切断したり、端子から外れたりするおそれがある。
（６）凸部分８３ａは２個設けられているが、凸部分は１個でもよいし、３個以上でもよい。凸部分８３ａの突出方向からの形状は矩形状をしているが、他の形状であってもよい。他の形状としては、円形、楕円、長円、三角形等の多角形、方形等がある。
（７）筒状体４は同じ形状の凸部分８３ａを２個有しているが、異なる形状、異なる寸法の凸部分を複数個有してもよい。例えば、２個の凸部分の寸法を変え、２つの溝の溝幅を変えることで、一端部部品を筒状体に対して所定の姿勢で装着できる。
（８）周方向溝部２０ｂは、幅変化領域２０ｃと幅一定領域２０ｄとを有していたが、例えば、幅一定領域のみを有してもよいし、幅変化領域のみを有してもよいし、幅一定領域は複数有してもよいし、幅変化領域を複数有してもよい。また、幅変化領域の幅の変化率は一定であってもよいし、変化してもよい。
（９）幅変化領域２０ｃでは一方面が他方面に対して遠近しているが、例えば、他方面が一方面に遠近してもよいし、一方面と他方面とが遠近してもよい。
（１０）当接部２０ｇは一方面から他方面に突出する凸部分により構成されているが、例えば、幅一定領域２０ｄを構成する一方面が幅変更領域と幅一定領域との間で開口端側に凹入する段差状をし、当該段差を利用して当接部を構成してもよいし、円筒壁の外面であって幅変更領域と幅一定領域との境界部位から径方向の外方へ突出する凸部分により構成してもよい。
（１１）一端部部品２には取付具１０が取り付けられているが、取付具１０を備えない構造としてもよい。なお、取付具１０の筒部１１ａにより溝２０が塞がれるため、防水や防塵を考慮すると備える方が好ましい。
【符号の説明】
【００５５】
Ａ      照明装置
１      器具本体
２      一端部部品
４      筒状体
５      発光部
７      電源部
８      電源側筒体
９      筒状カバー体
１０      取付具
【図１】
2019087467.tif 000003
【図２】
2019087467.tif 000004
【図３】
2019087467.tif 000005
【図４】
2019087467.tif 000006
【図５】
2019087467.tif 000007
【図６】
2019087467.tif 000008
【図７】
2019087467.tif 000009
【図８】
2019087467.tif 000010
【図９】
2019087467.tif 000011
【図１０】
2019087467.tif 000012
【図１１】
2019087467.tif 000013
【図１２】
2019087467.tif 000014
【図１３】
2019087467.tif 000015
【図１４】
2019087467.tif 000016